(57)【要約】【課題】例えば「章」や「節」のような複数種類の区切り単位でそれぞれタブ紙を使用する場合に、各タブ紙によって区切られる文書の構成を容易に把握することを可能ならしめる、印刷設定装置、印刷設定プログラム、および印刷設定方法を提供する。【解決手段】第２のタブ紙（例えば節用タブ紙）に適用すべき印刷色に関する項目の値は、当該第２のタブ紙が使用される第２の区切り単位（例えば「節」）が属する第１の区切り単位（例えば「章」）に使用される第１のタブ紙（例えば章用タブ紙）に対して設定された印刷色に関する項目の値に一致させられる。【選択図】図１０
2011039780.tif 000002
【特許請求の範囲】
【請求項１】
第１の区切り単位で文書を区切るために使用する第１タブ紙群のうちの第１のタブ紙毎に適用すべき印刷色に関する項目を設定するためのユーザの入力を受け付ける印刷色入力部と、
前記第１の区切り単位よりも細かい区切り単位である第２の区切り単位で前記文書を区切るために使用する第２タブ紙群のうちの第２のタブ紙に適用すべき印刷色に関する項目の値を、当該第２のタブ紙が使用される第２の区切り単位が属する第１の区切り単位に使用される第１のタブ紙に対して設定された印刷色に関する項目の値に一致させるための同色設定制御を行う制御部と、
を有することを特徴とする印刷設定装置。
【請求項２】
前記第２のタブ紙に適用すべき印刷色を、当該第２のタブ紙が使用される第２の区切り単位が属する第１の区切り単位に使用される第１のタブ紙に対して設定された印刷色と同じ色に設定するためのユーザの指示を受け付ける同色指示部をさらに有し、
前記同色指示部において前記ユーザの指示が受け付けられた場合に、前記制御部は、前記同色設定制御を行うことを特徴とする請求項１に記載の印刷設定装置。
【請求項３】
前記印刷色に関する項目は、タブ紙のタブに印刷される文字の色、タブ紙のタブに印刷される背景色、およびタブ紙のタブに印刷されるフレームの色のうちの少なくとも１つを含むことを特徴とする請求項１または２に記載の印刷設定装置。
【請求項４】
前記第１の区切り単位は章であり、前記第２の区切り単位は節であることを特徴とする請求項１〜３のいずれか１項に記載の印刷設定装置。
【請求項５】
第１の区切り単位で文書を区切るために使用する第１タブ紙群のうちの第１のタブ紙毎に適用すべき印刷色に関する項目を設定するためのユーザの入力を受け付ける印刷色入力部をユーザに提供する手順（ａ）と、
前記第１の区切り単位よりも細かい区切り単位である第２の区切り単位で前記文書を区切るために使用する第２タブ紙群のうちの第２のタブ紙に適用すべき印刷色に関する項目の値を、当該第２のタブ紙が使用される第２の区切り単位が属する第１の区切り単位に使用される第１のタブ紙に対して設定された印刷色に関する項目の値に一致させるための同色設定制御を行う手順（ｂ）と、
を有する印刷設定処理をコンピュータに実行させることを特徴とする印刷設定プログラム。
【請求項６】
前記印刷設定処理は、前記第２のタブ紙に適用すべき印刷色を、当該第２のタブ紙が使用される第２の区切り単位が属する第１の区切り単位に使用される第１のタブ紙に対して設定された印刷色と同じ色に設定するためのユーザの指示を受け付ける同色指示部をユーザに提供する手順（ｃ）をさらに有し、
前記同色指示部において前記ユーザの指示が受け付けられた場合に、前記手順（ｂ）において前記同色設定制御が行われることを特徴とする請求項５に記載の印刷設定プログラム。
【請求項７】
前記印刷色に関する項目は、タブ紙のタブに印刷される文字の色、タブ紙のタブに印刷される背景色、およびタブ紙のタブに印刷されるフレームの色のうちの少なくとも１つを含むことを特徴とする請求項５または６に記載の印刷設定プログラム。
【請求項８】
前記第１の区切り単位は章であり、前記第２の区切り単位は節であることを特徴とする請求項５〜７のいずれか１項に記載の印刷設定プログラム。
【請求項９】
請求項５〜８のいずれか１項に記載の印刷設定プログラムを記録したコンピュータ読み取り可能な記録媒体。
【請求項１０】
第１の区切り単位で文書を区切るために使用する第１タブ紙群のうちの第１のタブ紙毎に適用すべき印刷色に関する項目を設定するためのユーザの入力を受け付ける印刷色入力部をユーザに提供するステップ（ａ）と、
前記第１の区切り単位よりも細かい区切り単位である第２の区切り単位で前記文書を区切るために使用する第２タブ紙群のうちの第２のタブ紙に適用すべき印刷色に関する項目の値を、当該第２のタブ紙が使用される第２の区切り単位が属する第１の区切り単位に使用される第１のタブ紙に対して設定された印刷色に関する項目の値に一致させるための同色設定制御を行うステップ（ｂ）と、
を有する印刷設定方法。
【請求項１１】
前記第２のタブ紙に適用すべき印刷色を、当該第２のタブ紙が使用される第２の区切り単位が属する第１の区切り単位に使用される第１のタブ紙に対して設定された印刷色と同じ色に設定するためのユーザの指示を受け付ける同色指示部をユーザに提供するステップ（ｃ）をさらに有し、
前記同色指示部において前記ユーザの指示が受け付けられた場合に、前記ステップ（ｂ）において前記同色設定制御が行われることを特徴とする請求項１０に記載の印刷設定方法。
【請求項１２】
前記印刷色に関する項目は、タブ紙のタブに印刷される文字の色、タブ紙のタブに印刷される背景色、およびタブ紙のタブに印刷されるフレームの色のうちの少なくとも１つを含むことを特徴とする請求項１０または１１に記載の印刷設定方法。
【請求項１３】
前記第１の区切り単位は章であり、前記第２の区切り単位は節であることを特徴とする請求項１０〜１２のいずれか１項に記載の印刷設定方法。
【発明の詳細な説明】
【技術分野】
【０００１】
本発明は、印刷設定装置、印刷設定プログラム、および印刷設定方法に関する。本発明は、特に、タブ紙に関する項目を設定するための印刷設定装置、印刷設定プログラム、および印刷設定方法に関する。
【背景技術】
【０００２】
平坦な矩形状の本体と、当該本体の一辺の所定位置に設けられる突出したタブとを備えたタブ紙をページ間に挿入しながら印刷物を作成することが可能な印刷装置が存在する（特許文献１参照）。この印刷装置においては、タブ紙のタブに見出し文字を印刷することができ、また、タブ紙に背景色を印刷することにより所望の配色が施されたタブ紙を作成するができる。
【０００３】
ところで、文書が例えば「章」と「節」から構成されている場合、文書の「章」の区切りを示すページ位置と「節」の区切りを示すページ位置との双方にタブ紙を挿入することが望ましい。
【０００４】
しかしながら、「章」の区切り単位に用いる章用タブ紙群と、「節」の区切り単位に用いる節用タブ紙群とが組み合わされて同時に使用される場合、ユーザは、各タブ紙によって区切られる文書の構成を一見して把握することが困難となる。
【０００５】
一方、上記特許文献１に記載の技術は、例えば章用タブ紙と節用タブ紙のように、タブ紙を複数用途に分けて利用する方法については何ら考慮しておらず、上記課題を解決する手段を提供するものではない。
【先行技術文献】
【特許文献】
【０００６】
【特許文献１】特開２００８−９５９８号公報
【発明の概要】
【発明が解決しようとする課題】
【０００７】
本発明は上記従来技術の有する問題点に鑑みてなされたものであり、本発明の目的は、例えば「章」や「節」のような複数種類の区切り単位でそれぞれタブ紙を使用する場合に、各タブ紙によって区切られる文書の構成を容易に把握することを可能ならしめる、印刷設定装置、印刷設定プログラム、および印刷設定方法を提供することにある。
【課題を解決するための手段】
【０００８】
本発明の上記目的は、下記の手段によって達成される。
【０００９】
（１）第１の区切り単位で文書を区切るために使用する第１タブ紙群のうちの第１のタブ紙毎に適用すべき印刷色に関する項目を設定するためのユーザの入力を受け付ける印刷色入力部と、前記第１の区切り単位よりも細かい区切り単位である第２の区切り単位で前記文書を区切るために使用する第２タブ紙群のうちの第２のタブ紙に適用すべき印刷色に関する項目の値を、当該第２のタブ紙が使用される第２の区切り単位が属する第１の区切り単位に使用される第１のタブ紙に対して設定された印刷色に関する項目の値に一致させるための同色設定制御を行う制御部と、を有することを特徴とする印刷設定装置。
【００１０】
（２）前記第２のタブ紙に適用すべき印刷色を、当該第２のタブ紙が使用される第２の区切り単位が属する第１の区切り単位に使用される第１のタブ紙に対して設定された印刷色と同じ色に設定するためのユーザの指示を受け付ける同色指示部をさらに有し、前記同色指示部において前記ユーザの指示が受け付けられた場合に、前記制御部は、前記同色設定制御を行うことを特徴とする上記（１）に記載の印刷設定装置。
【００１１】
（３）前記印刷色に関する項目は、タブ紙のタブに印刷される文字の色、タブ紙のタブに印刷される背景色、およびタブ紙のタブに印刷されるフレームの色のうちの少なくとも１つを含むことを特徴とする上記（１）または（２）に記載の印刷設定装置。
【００１２】
（４）前記第１の区切り単位は章であり、前記第２の区切り単位は節であることを特徴とする上記（１）〜（３）のいずれか１項に記載の印刷設定装置。
【００１３】
（５）第１の区切り単位で文書を区切るために使用する第１タブ紙群のうちの第１のタブ紙毎に適用すべき印刷色に関する項目を設定するためのユーザの入力を受け付ける印刷色入力部をユーザに提供する手順（ａ）と、前記第１の区切り単位よりも細かい区切り単位である第２の区切り単位で前記文書を区切るために使用する第２タブ紙群のうちの第２のタブ紙に適用すべき印刷色に関する項目の値を、当該第２のタブ紙が使用される第２の区切り単位が属する第１の区切り単位に使用される第１のタブ紙に対して設定された印刷色に関する項目の値に一致させるための同色設定制御を行う手順（ｂ）と、を有する印刷設定処理をコンピュータに実行させることを特徴とする印刷設定プログラム。
【００１４】
（６）前記印刷設定処理は、前記第２のタブ紙に適用すべき印刷色を、当該第２のタブ紙が使用される第２の区切り単位が属する第１の区切り単位に使用される第１のタブ紙に対して設定された印刷色と同じ色に設定するためのユーザの指示を受け付ける同色指示部をユーザに提供する手順（ｃ）をさらに有し、前記同色指示部において前記ユーザの指示が受け付けられた場合に、前記手順（ｂ）において前記同色設定制御が行われることを特徴とする上記（５）に記載の印刷設定プログラム。
【００１５】
（７）前記印刷色に関する項目は、タブ紙のタブに印刷される文字の色、タブ紙のタブに印刷される背景色、およびタブ紙のタブに印刷されるフレームの色のうちの少なくとも１つを含むことを特徴とする上記（５）または（６）に記載の印刷設定プログラム。
【００１６】
（８）前記第１の区切り単位は章であり、前記第２の区切り単位は節であることを特徴とする上記（５）〜（７）のいずれか１項に記載の印刷設定プログラム。
【００１７】
（９）上記（５）〜（８）のいずれか１項に記載の印刷設定プログラムを記録したコンピュータ読み取り可能な記録媒体。
【００１８】
（１０）第１の区切り単位で文書を区切るために使用する第１タブ紙群のうちの第１のタブ紙毎に適用すべき印刷色に関する項目を設定するためのユーザの入力を受け付ける印刷色入力部をユーザに提供するステップ（ａ）と、前記第１の区切り単位よりも細かい区切り単位である第２の区切り単位で前記文書を区切るために使用する第２タブ紙群のうちの第２のタブ紙に適用すべき印刷色に関する項目の値を、当該第２のタブ紙が使用される第２の区切り単位が属する第１の区切り単位に使用される第１のタブ紙に対して設定された印刷色に関する項目の値に一致させるための同色設定制御を行うステップ（ｂ）と、を有する印刷設定方法。
【００１９】
（１１）前記第２のタブ紙に適用すべき印刷色を、当該第２のタブ紙が使用される第２の区切り単位が属する第１の区切り単位に使用される第１のタブ紙に対して設定された印刷色と同じ色に設定するためのユーザの指示を受け付ける同色指示部をユーザに提供するステップ（ｃ）をさらに有し、前記同色指示部において前記ユーザの指示が受け付けられた場合に、前記ステップ（ｂ）において前記同色設定制御が行われることを特徴とする上記（１０）に記載の印刷設定方法。
【００２０】
（１２）前記印刷色に関する項目は、タブ紙のタブに印刷される文字の色、タブ紙のタブに印刷される背景色、およびタブ紙のタブに印刷されるフレームの色のうちの少なくとも１つを含むことを特徴とする上記（１０）または（１１）に記載の印刷設定方法。
【００２１】
（１３）前記第１の区切り単位は章であり、前記第２の区切り単位は節であることを特徴とする上記（１０）〜（１２）のいずれか１項に記載の印刷設定方法。
【発明の効果】
【００２２】
本発明では、第２のタブ紙（例えば節用タブ紙）に適用すべき印刷色に関する項目の値は、当該第２のタブ紙が使用される第２の区切り単位（例えば「節」）が属する第１の区切り単位（例えば「章」）に使用される第１のタブ紙（例えば章用タブ紙）に対して設定された印刷色に関する項目の値に一致させられる。
【００２３】
したがって、同じ第１の区切り単位（例えば「章」）の中で使用される第１のタブ紙および第２のタブ紙に適用される印刷色に関する項目の値は同じ値に揃えられ、ユーザのタブ紙に対する視認性が高まる。
【００２４】
これにより、例えば「章」や「節」のような複数種類の区切り単位でそれぞれタブ紙を使用する場合であっても、ユーザは、各タブ紙によって区切られる文書の構成を一見して容易に把握することが可能となる。
【図面の簡単な説明】
【００２５】
【図１】本発明の一実施形態にかかるネットワークシステムの全体構成を示すブロック図である。
【図２】図１に示されるＰＣの構成を示すブロック図である。
【図３】図１に示される印刷システムのプリンタコントローラの構成を示すブロック図である。
【図４】図１に示される印刷システムのプリンタの構成を示すブロック図である。
【図５】印刷部の構成を模式的に示す図である。
【図６】タブ紙群の例を示す図である。
【図７】ＰＣにおける処理の手順を示すフローチャートである。
【図８】タブ紙に関する設定処理においてユーザに提供されるタブ紙詳細設定画面の一例を示す図である。
【図９】タブ紙に関する設定処理においてユーザに提供されるタブ紙挿入設定画面の一例を示す図である。
【図１０】タブ紙に適用される印刷色を設定する処理であるタブ印刷色設定処理の手順を示すフローチャートである。
【図１１】タブ紙情報テーブルの一例を示す図である。
【図１２】タブ紙に関する設定情報の一例を示す図である。
【図１３】プリンタコントローラにおける処理の手順を示すフローチャートである。
【図１４】プリンタにおける処理の手順を示すフローチャートである。
【図１５】同じ「章」の中で使用される章用タブ紙および節用タブ紙に適用される印刷色が同じ色に揃えられた場合の印刷出力結果の一例を示す図である。
【図１６】同じ種類（タイプ）のタブ紙に適用すべき印刷色が同じ色に揃えられた場合の印刷出力結果の一例を示す図である。
【発明を実施するための形態】
【００２６】
以下、本発明の実施の形態を、図面を参照して詳細に説明する。
【００２７】
図１は、本発明の一実施形態にかかるネットワークシステムの全体構成を示すブロック図である。
【００２８】
本実施形態にかかるネットワークシステムは、文書の印刷の指示等を行う印刷設定装置としてのＰＣ１と、ＰＣ１の印刷指示に基づいて印刷を行う印刷システム４とを備え、これらはネットワーク５により相互に通信可能に接続されている。なお、ＰＣ１と印刷システム４とは、ネットワーク５を介することなく直接機器間で接続（ローカル接続）されていてもよい。
【００２９】
印刷システム４は、互いにローカル接続されたプリンタコントローラ２と画像形成装置としてのプリンタ３とから成る。このローカル接続には、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２.１１、ＨｏｍｅＲＦ、ＩｒＤＡ等の無線通信インタフェース等の各種ローカル接続インタフェースが用いられる。ただし、プリンタコントローラ２とプリンタ３とは、ネットワーク５により接続されてもよい。
【００３０】
図２は、図１に示されるＰＣ１の構成を示すブロック図である。
【００３１】
ＰＣ１は、ＣＰＵ１１、ＲＯＭ１２、ＲＡＭ１３、ハードディスク１４、ディスプレイ１５、入力装置１６およびネットワークインタフェース１７を備えており、これらは信号をやり取りするためのバス１８を介して相互に接続されている。
【００３２】
ＣＰＵ１１は、プログラムにしたがって、上記各部の制御や各種の演算処理を行う。ＲＯＭ１２は、各種プログラムや各種データを格納する。ＲＡＭ１３は、作業領域として一時的にプログラムやデータを記憶する。ハードディスク１４は、オペレーティングシステムを含む各種プログラムや各種データを格納する。
【００３３】
ここで、ハードディスク１４には、文書ファイルを作成するためのアプリケーションと、文書ファイルを印刷システム４が解釈可能なページ記述言語（ＰＤＬ：Ｐａｇｅ  Ｄｅｓｃｒｉｐｔｉｏｎ  Ｌａｎｇｕａｇｅ）で記述されたＰＤＬデータに変換するためのプリンタドライバとがインストールされている。プリンタドライバは、アプリケーションを使用して作成した文書ファイルの印刷指示の他、印刷出力条件の設定やタブ紙に関する設定を行う機能を有する。プリンタドライバには、これらの設定を行うためのプログラムが含まれる。
【００３４】
ディスプレイ１５は、ＬＣＤ、ＣＲＴディスプレイ等であり、各種の情報の表示に使用される。入力装置１６は、マウス等のポインティングデバイスやキーボードを含み、各種情報の入力に使用される。
【００３５】
ネットワークインタフェース１７は、ネットワーク５を介して他の機器と通信するためのインタフェースであり、イーサネット（登録商標）、トークンリング、ＦＤＤＩ等の規格が用いられる。
【００３６】
図３は、図１に示される印刷システム４のプリンタコントローラ２の構成を示すブロック図である。
【００３７】
プリンタコントローラ２は、ＣＰＵ２１、ＲＯＭ２２、ＲＡＭ２３、ハードディスク２４、プリンタインターフェース２５、およびネットワークインタフェース２６を備えており、これらは信号をやり取りするためのバス２７を介して相互に接続されている。なお、プリンタコントローラ２の上記各部のうち、ＰＣ１の上記各部と同様の機能を有する部分については、説明の重複を避けるためその説明を省略する。
【００３８】
ＲＯＭ２２またはハードディスク２４には、ＰＣ１から受信したＰＤＬデータを翻訳しビットマップ形式の画像データであるビットマップデータに展開するためのラスタライズ処理のプログラム、および受信したＰＤＬデータの処理方法を解析するための画像データ処理のプログラムが格納されている。また、ハードディスク２４には、受信したＰＤＬデータおよびビットマップデータが保存され得る。
【００３９】
プリンタインターフェース２５は、ローカル接続されたプリンタ３と通信するためのインタフェースである。
【００４０】
図４は、図１に示される印刷システム４のプリンタ３の構成を示すブロック図である。プリンタ３は、ＣＰＵ３１、ＲＯＭ３２、ＲＡＭ３３、操作パネル部３４、印刷部３５、およびコントローラインターフェース３６を備えており、これらは信号をやり取りするためのバス３７を介して相互に接続されている。なお、プリンタ３の上記各部のうち、ＰＣ１の上記各部と同様の機能を有する部分については、説明の重複を避けるためその説明を省略する。
【００４１】
ＲＯＭ３２には、プリンタコントローラ２から受信したビットマップデータを含む印刷データに基づいて行われる印刷処理のプログラムが格納されている。
【００４２】
操作パネル部３４は、タッチパネル、テンキー、スタートボタン、ストップボタン等を備えており、各種情報の表示および各種指示の入力に使用される。
【００４３】
印刷部３５は、電子写真式プロセス等の周知の作像プロセスを用いて、プリンタコントローラ２から受信したビットマップデータが示す画像を用紙等の記録媒体に印刷する。コントローラインターフェース３６は、ローカル接続されたプリンタコントローラ２と通信するためのインタフェースである。
【００４４】
図５は、印刷部３５の構成を模式的に示す図である。
【００４５】
印刷部３５は、用紙等の記録媒体やタブ紙等の挿入紙を供給する給紙ユニット５０、記録媒体に画像を形成する画像形成ユニット４０、および用紙やタブ紙が排出される排紙ユニット６０を有している。また、印刷部３５は、用紙の表裏を反転させるための反転機構部７０を備えている。
【００４６】
印刷部３５の画像形成ユニット４０は、矢印方向に回転する感光体ドラム４１、帯電装置４２、露光装置４３、現像装置４４、中間転写ベルト４５、清掃装置４６、および定着装置４７を有している。感光体ドラム４１の表面が帯電装置４２により一様に帯電された後、露光装置４３よりレーザを照射することにより、感光体ドラム４１の表面に静電潜像が作成される。静電潜像は感光体ドラム４１の回転に伴い、トナーが感光体ドラム４１上の静電潜像に付着して静電潜像が顕像化される。現像装置４４は、シアン（Ｃ）、マゼンタ（Ｍ）、イエロー（Ｙ）、ブラック（Ｋ）の各色の現像ローラ４８を有しており、顕像化された各色のトナー画像は、転写部４９まで搬送されて順次中間転写ベルト４５上に転移されて重ね合わされ、重ね合わされたカラーの画像が、給紙ユニット５０から搬送されてきた用紙に転写される。用紙上のトナー画像は、定着装置４７で定着されて、排紙ユニット６０に排出される。
【００４７】
給紙ユニット５０は、複数の給紙トレイ５１〜５４を備えている。給紙トレイ５４は手差し給紙トレイである。一方、排紙ユニット６０は、複数の排紙トレイ６１〜６４を備えている。排紙ユニット６０は、搬送されてきた用紙に対してパンチ穴開け処理、ステープル綴じ処理等のフィニッシング処理を施す後処理部を備えていてもよい。
【００４８】
図６は、タブ紙群の例を示す図であり、（Ａ）は３タブのタブ紙群５００、（Ｂ）は５タブのタブ紙群６００を示す。なお、タブ紙はインデックス紙とも呼ばれる。図６（Ａ）に示すように、タブ紙群５００は、３枚の構成要素としてのタブ紙５１１〜５１３からなる１セットのタブ紙であり、３タブと称される。タブ紙５１１〜５１３は、それぞれ矩形状の本体と、当該本体の一辺の所定位置に設けられる突出したタブ５２１〜５２３とを備えている。また、図６（Ｂ）に示すように、タブ紙群６００は、５枚の構成要素としてのタブ紙６１１〜６１５からなる１セットのタブ紙であり、５タブと称される。タブ紙６１１〜６１５は、それぞれ矩形状の本体と、当該本体の一辺の所定位置に設けられる突出したタブ６２１〜６２５とを備えている。
【００４９】
図６に示されるタブ紙の並び順は正順と呼ばれ、タブが本体の右側に位置されたときに上層のタブが下層のタブよりも図６の上側に位置するように並べられる。３タブのタブ紙群５００の場合、タブ５２１〜５２３は、本体の一辺の上部から順に３段階にてそれぞれ下降した位置に設けられている。ここで、タブ５２１の位置は１／３、タブ５２２の位置は２／３、タブ５２２の位置は３／３と称される。また、５タブのタブ紙群６００の場合、タブ６２１〜５２５は、本体の一辺の上部から順に５段階にてそれぞれ下降した位置に設けられている。ここで、タブ６２１の位置は１／５、タブ６２２の位置は２／５、タブ６２３の位置は３／５、タブ６２４の位置は４／５、タブ６２５の位置は５／５、と称される。タブ紙群５００，６００は、通常複数セット分重ねられて所定の給紙トレイにセットされる。
【００５０】
次に、本実施形態におけるネットワークシステムの動作について説明する。
【００５１】
図７は、ＰＣ１における処理の手順を示すフローチャートである。なお、図７のフローチャートにより示されるアルゴリズムは、ＰＣ１のハードディスク１４等の記憶部にプログラムとして記憶されており、ＣＰＵ１１によってＲＡＭ１３上に読み出されて実行される（図１０も同様）。
【００５２】
前提として、ＰＣ１にて印刷しようとする文書ファイルが作成される。文書ファイルはＰＣ１にインストールされたアプリケーションにより作成される。
【００５３】
図７に示すように、文書ファイルの印刷処理を行う際、ユーザの操作に基づいて、アプリケーションの印刷設定ダイアログを介して、プリンタドライバが起動させられる（Ｓ１０１）。
【００５４】
続いて、プリンタドライバによって図示しない印刷設定画面がディスプレイ１５に表示され、印刷設定画面を通して印刷設定処理が行われる（Ｓ１０２）。例えば、用紙サイズの指定、ステープル処理等のフィニッシング処理の指定などの印刷設定処理が行われる。また、印刷設定処理の一部として、タブ紙に関する設定処理が行われる。このタブ紙に関する設定処理について以下に詳述する。
【００５５】
図８は、タブ紙に関する設定処理においてユーザに提供されるタブ紙詳細設定画面の一例を示す図である。
【００５６】
タブ紙詳細設定画面１００は、画面切替部１０１を有している。画面切替部１０１において「ＴａｂＡ」がクリックされると、第１の区切り単位で文書を区切るために使用する第１タブ紙群（本実施形態では、「章」の区切り単位で文書を区切るために使用する章用タブ紙群）についての詳細設定（初期設定）を行うことが可能となる。また、画面切替部１０１において「ＴａｂＢ」がクリックされると、第１の区切り単位よりも細かい区切り単位である第２の区切り単位で文書を区切るために使用する第２タブ紙群（本実施形態では、「節」の区切り単位で文書を区切るために使用する節用タブ紙群）についての詳細設定（初期設定）を行うことが可能となる。
【００５７】
また、タブ紙詳細設定画面１００は、タブ紙の種類を指定するためのタブ紙種類指定部１１０を有している。そして、タブ紙種類指定部１１０は、タブ紙供給元の給紙トレイを指定するための給紙トレイ指定部１１１、タブ紙のサイズを指定するためのサイズ指定部１１２、タブ紙１セット中のタブ位置が異なるタブ紙の数（タブの数）を指定するためのタブの数指定部１１３を含む。
【００５８】
また、タブ紙詳細設定画面１００は、タブ紙のタブへの印刷に関する項目の設定を行うためのタブ印刷設定部１２０を有している。タブ印刷設定部１２０は、タブ紙のタブに適用すべき印刷色に関する項目を設定するためのユーザの入力を受け付けるコンボボックス１２１を含んでいる。本実施形態では、印刷色に関する項目は、タブ紙のタブに印刷される文字の色である。
【００５９】
図９は、タブ紙に関する設定処理においてユーザに提供されるタブ紙挿入設定画面の一例を示す図である。
【００６０】
タブ紙挿入設定画面２００は、タブ紙の挿入を行うページを指定するためのエディットボックス２０１、タブ紙のレイアウトを示すプレビュー部２０２、ユーザが操作しようとするページを指定するためのエディットボックス２０３、タブ紙の印字形態を選択するためのコンボボックス２０４、タブ紙の挿入位置を選択するためのコンボボックス２０５、タブ紙を挿入する枚数を指定するためのエディットボックス２０６、使用するタブ紙の種類を選択するためのコンボボックス２０７、および使用するタブ紙のタブの位置（見出し位置）を選択するためのコンボボックス２０８を有している。
【００６１】
また、タブ紙挿入設定画面２００は、タブ紙のタブ（見出し）に印字する文字を入力するためのテキストボックス２０９と、章用タブ紙群のうちの章用タブ紙毎に適用すべき印刷色に関する項目を設定するためのユーザの入力を受け付ける印刷色入力部としてのコンボボックス２１０とを含んでいる。本実施形態では、印刷色に関する項目は、タブ紙のタブに印刷される文字の色である。ここで、図９のコンボボックス２１０に入力された値は、図８のコンボボックス１２１に入力された値（初期値）に優先して適用される。
【００６２】
また、タブ紙挿入設定画面２００は、「ＴａｂＢ」（節用タブ紙）に適用すべき印刷色を、当該節用タブ紙が使用される「節」が属する「章」に使用される「ＴａｂＡ」（章用タブ紙）に対して設定された印刷色と同じ色に設定するためのユーザの指示を受け付ける同色指示部としてのチェックボックス２１１と、ユーザが入力した文字を確認するためのプレビュー部２１２とを含んでいる。
【００６３】
図９では、エディットボックス２０３においてユーザが操作しようとするページとして「１」が指定され、プレビュー部２０２において該当するページのタブ紙がハイライト表示されている。なお、プレビュー部２０２において、複数のタブ紙が選択（ハイライト表示）されて、一括して設定が行われ得るように構成されてもよい。図中符号「２１３」は、プレビュー部２０２における表示を更新させるためのボタンである。
【００６４】
上記のように、タブ紙詳細設定画面１００およびタブ紙挿入設定画面２００を用いて、タブ紙に関する設定処理が行われる。
【００６５】
次に、図１０を参照して、タブ紙に適用される印刷色を設定する処理であるタブ印刷色設定処理について説明する。このタブ印刷色設定処理は、印刷設定処理（Ｓ１０２）のタブ紙に関する設定処理の中で行われる。
【００６６】
まず、図９のタブ紙挿入設定画面２００（エディットボックス２０１、およびコンボボックス２０７）を通してユーザにより入力された値に基づき、タブ紙情報テーブルが生成される。
【００６７】
図１１は、タブ紙情報テーブルの一例を示す図である。タブ紙情報テーブル３００は、タブ紙番号（Ｎｏ．）、タブ紙の挿入を行うページ（Ｐａｇｅ）、使用するタブ紙の種類（Ｔｙｐｅ）、およびタブ紙のタブに印刷される文字の色（Ｃｏｌｏｒ）の欄を備えている。
【００６８】
続いて、タブ紙情報テーブル３００から、Ｎｏ．１で設定されているタブ紙の種類（タイプ）の情報が取得される（Ｓ２０２）。
【００６９】
ステップＳ２０３では、注目されているタブ紙の種類が「ＴａｂＡ」であるか否かが判断される。
【００７０】
タブ紙の種類が「ＴａｂＡ」であると判断された場合（Ｓ２０３：ＹＥＳ）、「ＴａｂＡ」の文字色情報の取得および保存が行われる（Ｓ２０４）。すなわち、図９のコンボボックス２１０を通してユーザにより入力された値である、「ＴａｂＡ」のタブに印刷される文字の色の情報が取得され、タブ紙情報テーブル３００に記憶される。
【００７１】
一方、タブ紙の種類が「ＴａｂＡ」でないと判断された場合（Ｓ２０３：ＮＯ）、すなわち「ＴａｂＢ」であると判断された場合、「ＴａｂＡ」と同色か否かの設定情報が取得される（Ｓ２０５）。すなわち、「ＴａｂＢ」（節用タブ紙）に適用すべき印刷色を、当該節用タブ紙が使用される「節」が属する「章」に使用される「ＴａｂＡ」（章用タブ紙）に対して設定された印刷色と同じ色に設定するか否かの設定情報が、チェックボックス２１１へのチェック入力の有無に基づき、取得される。
【００７２】
ステップＳ２０６では、取得されたのが「ＴａｂＡ」と同色であるとの設定情報であるか否かが判断される。「ＴａｂＡ」と同色であるとの設定情報が取得されなかった場合（Ｓ２０６：ＮＯ）、ステップＳ２１０に進む。
【００７３】
「ＴａｂＡ」と同色であるとの設定情報が取得された場合（Ｓ２０６：ＹＥＳ）、タブ紙情報テーブル３００において、自己のタブ紙番号（Ｎｏ．）から若いタブ紙番号（Ｎｏ．）の方向へ、「ＴａｂＡ」が適用されているタブ紙がサーチされる（Ｓ２０７）。
【００７４】
ステップＳ２０８では、サーチの結果、該当する「ＴａｂＡ」が存在するか否かが判断される。該当する「ＴａｂＡ」が存在しないと判断された場合（Ｓ２０８：ＮＯ）、ステップＳ２１０に進む。
【００７５】
該当する「ＴａｂＡ」が存在すると判断された場合（Ｓ２０８：ＹＥＳ）、サーチされた「ＴａｂＡ」に対して設定された印刷色と同じ色の情報が取得されて、「ＴａｂＢ」に適用すべき印刷色に割り当てられる（Ｓ２０９）。
【００７６】
この場合、節用タブ紙に適用すべき印刷色に関する項目の値は、当該節用タブ紙が使用される「節」が属する「章」に使用される章用タブ紙に対して設定された印刷色に関する項目の値に一致させられる。
【００７７】
一方、ステップＳ２１０では、「ＴａｂＢ」に適用すべき印刷色に、図８のコンボボックス１２１を通してユーザにより入力された値である、初期値として設定された印刷色が割り当てられる。
【００７８】
この場合、タブ紙の種類（タイプ）毎に、タブ紙に適用すべき印刷色に関する項目の値が設定される。ここで、図８のコンボボックス１２１において「ＴａｂＡ」と「ＴａｂＢ」とで同じ色が入力されることを禁じる処理を実行させることができる。これにより、同じ種類（タイプ）のタブ紙に適用すべき印刷色を同じ色に統一して設定するとともに、種類（タイプ）が異なるタブ紙間では適用すべき印刷色が異なるように設定することが可能となる。
【００７９】
ステップＳ２１１では、タブ紙情報テーブル３００における次のタブ紙番号（Ｎｏ．）、すなわち次のレコードが存在するか否かが判断される。
【００８０】
次のタブ紙番号（Ｎｏ．）が存在する場合（Ｓ２１１：ＹＥＳ）、タブ紙情報テーブル３００から、次のタブ紙番号（Ｎｏ．）で設定されているタブ紙の種類（タイプ）の情報が取得されて（Ｓ２１２）、ステップＳ２０３に戻る。
【００８１】
次のタブ紙番号（Ｎｏ．）が存在しない場合（Ｓ２１１：ＹＥＳ）、タブ紙情報テーブル３００における全てのタブ紙番号（Ｎｏ．）についての処理が完了したものと判断されて、図１０の処理が終了する。
【００８２】
図７に戻って、全ての印刷設定作業が終了して、ユーザによる印刷指示を受信した場合（Ｓ１０３：ＹＥＳ）、アプリケーションを使用して作成した文書ファイルが変換されることによってＰＤＬデータが作成される（Ｓ１０４）。一方、ユーザによる印刷指示を受信していない場合には（Ｓ１０３：ＮＯ）、ステップＳ１０２に戻る。
【００８３】
ここで、ＰＤＬデータには、タブ紙に関する設定情報がコマンドデータとして記述される。タブ紙に関する設定情報には、タブ紙に適用される印刷色の設定情報が含まれる。図１２は、タブ紙に関する設定情報の一例を示す図である。
【００８４】
なお、タブ紙に関する設定以外の印刷設定に関する設定情報もＰＤＬデータ内にコマンドデータとして記述される。
【００８５】
続いて、ステップＳ１０５では、作成されたＰＤＬデータは、ネットワーク５を経由して、印刷システム４のプリンタコントローラ２に、印刷ジョブとして送信される。
【００８６】
次に、図１３を参照して、プリンタコントローラ２における処理について説明する。なお、図１３のフローチャートにより示されるアルゴリズムは、プリンタコントローラ２のハードディスク２４等の記憶部にプログラムとして記憶されており、ＣＰＵ２１によって実行される。
【００８７】
まず、プリンタコントローラ２は、ＰＣ１からＰＤＬデータを受信し（ステップＳ３０１）、ＰＤＬデータ内に記述されたコマンドデータが解析される（Ｓ３０２）。ここで、コマンドデータが解析されることにより、タブ紙に関する設定情報が認識される。
【００８８】
続いて、受信したＰＤＬデータに対してラスタライズ処理が施されて、ビットマップ形式の画像データであるビットマップデータが得られる（Ｓ３０３）。
【００８９】
そして、ステップＳ３０３で得られたビットマップデータに、タブ紙に関する設定情報を含むヘッダ情報が付加されて、印刷データが作成され（Ｓ３０４）、当該印刷データがプリンタ３に送信される（Ｓ３０５）。
【００９０】
次に、図１４を参照して、プリンタ３における処理について説明する。なお、図１４のフローチャートにより示されるアルゴリズムは、プリンタ３のＲＯＭ３２等の記憶部にプログラムとして記憶されており、ＣＰＵ３１によって実行される。
【００９１】
プリンタ３は、プリンタコントローラ２から印刷データを受信する（Ｓ４０１）。続いて、プリンタ３は印刷処理を実行する（Ｓ４０２）。印刷処理が開始されると、まずヘッダ情報が解析される。そして、１ページずつ通常の印刷が実行されるとともに、タブ紙の挿入が指定されたページの場合には、指定されたタブ紙が所定の供給トレイから供給される。供給トレイから供給されたタブ紙のタブには、タブ紙に関する設定情報に応じて印刷が施される。
【００９２】
図１５は、同じ「章」の中で使用される章用タブ紙および節用タブ紙に適用される印刷色が同じ色に揃えられた場合の印刷出力結果の一例を示す図である。図１５において、「１」、「２」、「３」は章用タブ紙を示し、「１−１」〜「１−３」、「２−１」〜「２−３」、「３−１」〜「３−３」は節用タブ紙を示す（図１６も同様）。また、図１５においてタブの近くに記載した色名称は、タブに印刷される文字の色を示す（図１６も同様）。この印刷出力結果は、ステップＳ２０４およびＳ２０９の処理に基づいて得られる。
【００９３】
図１６は、同じ種類（タイプ）のタブ紙に適用すべき印刷色が同じ色に揃えられた場合の印刷出力結果の一例を示す図である。この印刷出力結果は、ステップＳ２０４およびＳ２１０の設定処理に基づいて得られる。
【００９４】
上述のように本実施形態では、同色指示部としてのチェックボックス２１１においてユーザの指示が受け付けられた場合、節用タブ紙に適用すべき印刷色に関する項目の値は、当該節用タブ紙が使用される「節」が属する「章」に使用される章用タブ紙に対して設定された印刷色に関する項目の値に一致させられる。
【００９５】
したがって、同じ「章」の中で使用される章用タブ紙および節用タブ紙に適用される印刷色に関する項目の値は同じ値に揃えられ、ユーザのタブ紙に対する視認性が高まる。
【００９６】
これにより、例えば「章」や「節」のような複数種類の区切り単位でそれぞれタブ紙を使用する場合であっても、ユーザは、各タブ紙によって区切られる文書の構成を一見して容易に把握することが可能となる。
【００９７】
本発明は、上記した実施形態のみに限定されるものではなく、特許請求の範囲内において、種々改変することができる。
【００９８】
例えば、同色指示部としてのチェックボックス２１１におけるユーザの指示を受け付けることなく、節用タブ紙に適用すべき印刷色に関する項目の値を、当該節用タブ紙が使用される「節」が属する「章」に使用される章用タブ紙に対して設定された印刷色に関する項目の値に一致させる制御を実行するように構成することも可能である。
【００９９】
また、上記実施形態では、印刷色に関する項目として、タブ紙のタブに印刷される文字の色が挙げられているが、本発明はこれに限定されるものではない。本発明において、印刷色に関する項目は、タブ紙のタブに印刷される文字の色、タブ紙のタブに印刷される背景（文字の背景）色、およびタブ紙のタブに印刷されるフレーム（文字を囲むフレーム）の色のうちの少なくとも１つを含むものであってもよい。
【０１００】
また、上記実施形態では、プリンタコントローラ２が、コマンドデータとして記述されたタブ紙に適用される印刷色の設定情報を解析して、色設定処理を行うが、本発明はこれに限定されるものではない。本発明において、ＰＣ１（プリンタドライバ）が設定画面を通して行われたタブ紙に関する設定に基づいて画像データを生成し、かかる画像データに基づいてタブへの印刷処理が行われてもよい。
【０１０１】
また、上記実施形態では、２種類のタブ紙が挿入される場合について説明したが、本発明は、３種類以上のタブ紙が挿入される場合にも適用可能である。すなわち、文書中の一区切りの例として「章」および「節」の２つを挙げて説明したが、本発明はこれに限定されるものではない。文書中の一区切りは、例えば「部」および「章」の２つであってもよく、あるいは例えば「部」「章」および「節」等の３つ以上であってもよい。
【０１０２】
また、上記実施形態では、タブ紙に関する設定についての処理がプリンタドライバによって行われる場合について説明したが、プリンタドライバではなくアプリケーションによって行われることもできる。
【０１０３】
また、上記実施形態では、タブ紙に関する設定が、ＰＣ１のディスプレイ１５上に表示される設定画面を用いて行われる場合について説明したが、本発明はこれに限定されるものではない。本発明において、タブ紙に関する設定は、例えばプリンタ３の操作パネル部３４上に表示される設定画面を用いて行われることもできる。
【０１０４】
また、上記実施形態では、印刷システム４がプリンタコントローラ２とプリンタ３に分けられ、互いにローカル接続された構成の場合について述べたが、プリンタコントローラ２はプリンタ３の中に内包されていてもよい。
【０１０５】
また、上記実施形態では、画像形成装置としてプリンタが採用されているが、本発明はこれに限定されるものではない。本発明は、例えばＭＦＰ（Ｍｕｌｔｉ−Ｆｕｎｃｔｉｏｎ  Ｐｅｒｉｐｈｅｒａｌ）、複写機等の画像形成装置にも適用可能である。
【０１０６】
本実施形態の印刷設定装置における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、印刷設定装置の一機能としてその装置のソフトウェアに組み込まれてもよい。
【符号の説明】
【０１０７】
１  ＰＣ、
２  プリンタコントローラ、
３  プリンタ、
４  印刷システム、
５  ネットワーク、
１１，２１，３１  ＣＰＵ、
１２，２２，３２  ＲＯＭ、
１３，２３，３３  ＲＡＭ、
１４，２４  ハードディスク、
１５  ディスプレイ、
１６  入力装置、
１７，２６  ネットワークインタフェース、
１８，２７，３７  バス、
２５  プリンタインターフェース、
３４  操作パネル部、
３５  印刷部、
３６  コントローラインターフェース、
１００  タブ紙詳細設定画面、
１２０  タブ印刷設定部、
１２１  コンボボックス、
２００  タブ紙挿入設定画面、
２０９  テキストボックス、
２１０  コンボボックス、
２１１  チェックボックス、
３００  タブ紙情報テーブル、
５００，６００  タブ紙群、
５１１〜５１３，６１１〜６１５    タブ紙、
５２１〜５２３，６２１〜６２５    タブ。
【図１】
2011039780.tif 000003
【図２】
2011039780.tif 000004
【図３】
2011039780.tif 000005
【図４】
2011039780.tif 000006
【図５】
2011039780.tif 000007
【図６】
2011039780.tif 000008
【図７】
2011039780.tif 000009
【図８】
2011039780.tif 000010
【図９】
2011039780.tif 000011
【図１０】
2011039780.tif 000012
【図１１】
2011039780.tif 000013
【図１２】
2011039780.tif 000014
【図１３】
2011039780.tif 000015
【図１４】
2011039780.tif 000016
【図１５】
2011039780.tif 000017
【図１６】
2011039780.tif 000018